(57)【要約】【課題】一時的に蓄積されている生体信号を記録する機能の使い勝手を向上させた生体情報記録装置およびその制御方法を提供すること。【解決手段】生体信号記録装置は、一時的に蓄積された生体信号のうち、記録指示に応答して定まる記録区間の生体信号を記録する機能を有する。生体信号記録装置は、記録指示の回数または長さに応じて記録区間を変更する。【選択図】図４
2018171240.tif 000002
【特許請求の範囲】
【請求項１】
計測された生体信号を一時的に蓄積する蓄積手段と、
記録指示を検出すると、前記蓄積手段に蓄積された生体信号のうち、前記検出から第１の時間遡った時刻から、第２の時間後までの生体信号を記録する制御手段と、を有し、
前記制御手段は、前記記録指示の回数または長さに応じて前記第１の時間を変更し、前記生体信号を記録する、
ことを特徴とする生体信号記録装置。
【請求項２】
前記制御手段は、前記記録指示の回数または長さが増えるほど、前記第１の時間を長くすることを特徴とする請求項１に記載の生体信号記録装置。
【請求項３】
前記制御手段は、前記記録指示の回数または長さが所定の回数または長さ未満の場合には、前記第１の時間を変更しないことを特徴とする請求項１に記載の生体信号記録装置。
【請求項４】
前記制御手段は、前記記録指示の回数または長さが予め定められた上限値に達すると、前記第１の時間の変更を行わないことを特徴とする請求項１から請求項３のいずれか１項に記載の生体信号記録装置。
【請求項５】
前記制御手段は、前記第１の時間が前記第２の時間より大きい場合、前記第２の時間を前記第１の時間以上となるように変更することを特徴とする請求項１から請求項４のいずれか１項に記載の生体信号記録装置。
【請求項６】
前記制御手段は、前記記録指示が１回もしくは前記記録指示の長さが予め定められた長さ未満の場合、予め設定されている前記第１の時間を用いて前記生体信号を記録することを特徴とする請求項１から請求項５のいずれか１項に記載の生体信号記録装置。
【請求項７】
前記制御手段は、前記記録指示を複数回検出した場合、前記記録指示の最初の検出から前記第１の時間遡った時刻以降の生体信号を記録することを特徴とする請求項１から請求項６のいずれか１項に記載の生体信号記録装置。
【請求項８】
計測された生体信号を一時的に蓄積する蓄積手段と、
ユーザの指示に応じて、第１の時間と、記録時間とを設定する設定手段と、
記録指示を検出すると、前記蓄積手段に蓄積された生体信号のうち、前記検出から前記第１の時間遡った時刻から、前記記録時間後までの生体信号を記録する制御手段と、を有し、
前記設定手段は、前記記録時間が前記第１の時間未満となるような設定を禁止する、
ことを特徴とする生体信号記録装置。
【請求項９】
前記生体信号が心電図信号であることを特徴とする請求項１から請求項８のいずれか１項に記載の生体信号記録装置。
【請求項１０】
記録指示を検出する検出工程と、
前記検出工程で前記記録指示を検出すると、計測された生体信号を一時的に蓄積する蓄積手段に蓄積された生体信号のうち、前記検出から第１の時間遡った時刻から、第２の時間後までの生体信号を記録する制御工程と、を有し、
前記制御工程では、前記検出工程で検出した前記記録指示の回数または長さに応じて前記第１の時間を変更し、前記生体信号を記録する、
ことを特徴とする生体信号記録装置の制御方法。
【請求項１１】
ユーザの指示に応じて、第１の時間と、記録時間とを設定する設定工程と、
記録指示を検出する検出工程と、
前記検出工程で前記記録指示を検出すると、計測された生体信号を一時的に蓄積する蓄積手段に蓄積された生体信号のうち、前記検出から第１の時間遡った時刻から、前記記録時間後までの生体信号を記録する制御工程と、を有し、
前記設定工程では、前記記録時間が前記第１の時間未満となるような設定を禁止する、
ことを特徴とする生体信号記録装置の制御方法。
【請求項１２】
コンピュータを、請求項１から請求項９のいずれか１項に記載の生体信号記録装置の各手段として機能させるためのプログラム。
【発明の詳細な説明】
【技術分野】
【０００１】
本発明は生体信号記録装置およびその制御方法に関し、特にはレビュー記録機能を有する生体信号記録装置およびその制御方法に関する。
【背景技術】
【０００２】
一般に、生体信号記録装置は、計測中の生体信号をリアルタイム表示しながら記録指示を待機し、記録指示を検出すると、それ以降に計測された生体信号を記録する構成を有する。したがって、記録指示より前に計測された生体信号は記録できない。そのため、計測した生体信号を一時的に蓄積するバッファを設け、バッファに蓄積された過去の生体信号を記録する機能（レビュー記録機能）を有する装置も提案されている（特許文献１）。
【先行技術文献】
【特許文献】
【０００３】
【特許文献１】特許第4949685号公報
【発明の概要】
【発明が解決しようとする課題】
【０００４】
レビュー記録の長さは設定画面を通じて変更可能であるが、長い時間を設定するとデータ容量が大きくなるため、短めの時間が設定されることが多い。その一方、短い時間では所望の信号が記録できないと思われる場合に設定時間を延ばそうとしても、設定画面を呼び出して変更しているうちに所望の信号がバッファから無くなってしまう場合もある。仮に設定変更が間に合ってレビュー記録できたとしても、設定時間を元に戻す必要がある（戻さないとその後のレビュー記録全てについてデータ容量が大きくなる）。
【０００５】
本発明はこのような従来技術の問題点に鑑みてなされたものであり、一時的に蓄積されている生体信号を記録する機能の使い勝手を向上させた生体情報記録装置およびその制御方法を提供することを一目的とする。
【課題を解決するための手段】
【０００６】
上述の目的は、計測された生体信号を一時的に蓄積する蓄積手段と、記録指示を検出すると、蓄積手段に蓄積された生体信号のうち、検出から第１の時間遡った時刻から、第２の時間後までの生体信号を記録する制御手段と、を有し、制御手段は、記録指示の回数または長さに応じて第１の時間を変更し、生体信号を記録する、ことを特徴とする生体信号記録装置によって達成される。
【発明の効果】
【０００７】
このような構成により、本発明によれば、一時的に蓄積されている生体信号を記録する機能の使い勝手を向上させた生体情報記録装置およびその制御方法を提供することができる。
【図面の簡単な説明】
【０００８】
【図１】本発明の実施形態に係る生体信号記録装置の一例としての心電計の機能構成例を示すブロック図である。
【図２】レビュー記録に関する模式図である。
【図３】実施形態に係る心電計の画面例を示す図である。
【図４】実施形態に係る心電計のレビュー記録処理に関するフローチャートである。
【図５】実施形態の変形例に係る心電計の画面例を示す図である。
【図６】実施形態の別の変形例に係る心電計のレビュー記録処理に関するフローチャートである。
【発明を実施するための形態】
【０００９】
以下、図面を参照して本発明の例示的な実施形態について詳細に説明する。以下では、本発明に係る生体信号記録装置の一例としての心電計の実施形態について説明するが、本発明は生体信号を記録可能な任意の電子機器に適用可能である。このような電子機器には心電計やモニタ装置といった医療機器はもちろん、適切なアプリケーションソフトウェアが稼働するコンピュータ機器（パーソナルコンピュータ、タブレット端末、スマートフォンなど）も含まれる。
【００１０】
（心電計の構成）
図１は、本発明の実施形態に係る心電計１００の構成例を示すブロック図である。
電極群１１０は、例えば四肢電極（４つ）および胸部電極（６つ）からなる。電極群１１０が有する電極の種類や数は、心電計１００で計測する心電図信号（誘導）の種類および数によって決まる。
【００１１】
電極群１１０（心電図電極）は心電計１００の入力部１１１が備えるコネクタに接続される。入力部１１１は例えば保護回路、誘導選択器、増幅回路などを有し、予め設定された種類と数の心電図信号を出力する。
Ａ／Ｄ変換部１１２は、入力部１１１から出力される心電図信号のそれぞれをデジタル化し、心電図波形データとして出力する。入力部１１１とＡ／Ｄ変換部１１２はアナログフロントエンド（ＡＦＥ）とも呼ばれる。
【００１２】
フィルタ処理部１１３は、Ａ／Ｄ変換部１１２を通じて入力される心電図波形データに対し、制御部１２０からの設定に従ってノイズ除去フィルタを適用する。本実施形態において、フィルタ処理部１１３は、一例として、筋電ノイズ除去フィルタ、ＡＣノイズ除去フィルタ、およびドリフトノイズ除去フィルタを選択的に適用可能であるものとするが、フィルタ処理の種類や数はこれらに限定されない。
スピーカ１１４は、制御部１２０が例えば警告音や音声メッセージを出力するために用いる。
【００１３】
制御部１２０は例えばＲＯＭ、ＲＡＭおよびプログラマブルプロセッサを含み、ＲＯＭに記憶された制御プログラムをＲＡＭに展開してプログラマブルプロセッサが実行することにより、心電計１００全体の動作を制御する。ＲＯＭには制御プログラムのほか、各種の設定値やＧＵＩデータなどが記憶されており、制御プログラムの実行時に適宜用いられる。また、ＲＯＭの少なくとも一部は書き換え可能であってよい。
【００１４】
なお、例えばフィルタ処理部１１３は、制御部１２０が有するプログラマブルプロセッサがプログラムを実行することによって実現してもよいし、ＡＳＩＣやＡＳＳＰなどのハードウェアで実現してもよい。フィルタ処理部１１３はハードウェアとソフトウェアの組み合わせにより実現してもよい。
【００１５】
解析部１２０１は制御部１２０が実現する心電図波形データの自動解析機能に相当し、計測した心電図波形データに対して自動解析処理を適用する。自動解析処理は、大きく分けて計測処理と所見分類処理の２つに大別できる。計測処理は、心電図の区分点（Ｐ、ＱＲＳ、Ｔ）を検出し、計測値（ＲーＲ間隔、ＳＴレベル、ＰＱ、ＱＲＳ幅、ＱＴ等）を求める処理である。また、所見分類処理は、計測値と予め判定された判定条件とから所見を決定する処理である。なお、ここで挙げた計測値は単なる例示であり、他の計測値を求めてもよい。
【００１６】
カードスロット１１６にはメモリカードを着脱可能であり、制御部１２０は装着されたメモリカードに心電図検査データを記録したり、装着されたメモリカードから記録済みの心電図検査データを読み出したりすることができる。なお、心電図検査データは、心電図波形データおよび被検者情報のデータを含む。心電図波形データの自動解析を行った場合、検査データは自動解析結果のデータも含む。心電図検査データは所定のデータ形式で検査ごとに生成される。なお、心電図検査データは複数のデータファイルで構成されてもよいし、１つのデータファイルで構成されてもよい。
【００１７】
操作部１１７はユーザ（医療関係者）が心電計１００に各種設定や指示を入力する入力デバイスであり、ボタン、キー、タッチパネル（ソフトウェアキー）などが一般的に用いられるが、これらに限定されない。音声入力のような物理的な入力操作を必要としない入力方法がサポートされてもよい。操作部１１７は通常記録の開始指示・終了指示を与えるための通常記録ボタンと、レビュー記録指示を与えるためのレビュー記録ボタンとを有する。
【００１８】
表示部１１８は、ＬＣＤなどの表示装置であり、制御部１２０の制御に従い、計測中の心電図、あるいはカードスロット１１６に装着されたメモリカードに記憶された心電図検査データに基づく心電図および／または解析レポートや、メニュー画面などを表示する。本実施形態において表示部１１８はタッチディスプレイであるものとする。
プリンタ１１９は、例えばサーマルプリンタであり、制御部１２０の制御に従い、心電図波形や解析レポートを所定のフォーマットで印刷出力する。
【００１９】
電源部１２１は例えば二次電池や商用電源（ＡＣアダプタ）であり、心電計１００の各部へ電力を供給する。
【００２０】
外部Ｉ／Ｆ１２３は外部機器を有線接続するための汎用インタフェースである。本実施形態において外部Ｉ／Ｆ１２３はＵＳＢ２．０規格に準拠したインタフェースであるものとするが、他の規格に準拠した汎用インタフェースであってもよい。また、外部Ｉ／Ｆ１２３の数は２つ以上であってもよい。外部Ｉ／Ｆ１２３にはＵＳＢ接続可能な任意の外部機器２００（例えばＵＳＢメモリやパーソナルコンピュータ）を接続可能である。
【００２１】
このような構成を有する心電計１００を用いて例えば心電図信号の計測及び記録を行う場合、心電計１００の電源がＯＮの状態で、被検者の体表面の所定の位置に電極群１１０の一端に設けられた電極パッドや電極クリップを取り付け、電極群１１０の他端に設けられたコネクタを入力部１１１に接続する。
【００２２】
入力部１１１に電極群１１０が接続されると、検出された心電図信号が入力部１１１に入力され、Ａ／Ｄ変換部１１２、フィルタ処理部１１３などの処理を経て心電図波形データとして制御部１２０に入力される。制御部１２０は内部のＲＡＭの一部をバッファとして用い、直近の所定秒数分の心電図波形データを一時的に蓄積する。また、制御部１２０は、バッファ内の心電図波形データを用いて、表示部１１８への心電図の表示を開始する。
【００２３】
本実施形態の心電計は少なくとも以下の計測モードを有する。
（１）１２誘導自動計測モード
記録開始指示の入力時点から予め定められた期間（例えば１０秒間）に計測された１２誘導心電図信号について、自動解析結果を含んだ心電図検査データを記録するとともに、表示部１１８および／またはプリンタ１１９に出力する。
（２）１２誘導手動計測モード
記録開始指示が入力されてから、記録停止指示が入力されるまで、１２誘導のうち指定された一部の誘導の心電図波形をリアルタイムにプリンタ１１９から出力する。
（３）不整脈計測モード
１２誘導のうち指定された３種類の誘導について、記録開始指示が入力されてから、予め定められた期間（例えば数分）に計測された誘導の波形をリアルタイムにプリンタ１１９から出力する。
（４）リズム計測モード
１２誘導のうち指定された１種類の誘導について、記録開始指示が入力されてから、予め定められた期間（例えば数分）に計測された誘導の波形をリアルタイムにプリンタ１１９から出力する。
なお、これらの計測モードおよび動作は単なる例示であり、これらの全ての計測モードを有する必要はなく、また他の計測モードや動作も可能である。
【００２４】
操作部１１７から記録開始指示が入力されると、制御部１２０は設定されている計測モードに応じた記録動作を実行し、設定された記録時間の経過、あるいは操作部１１７からの記録終了指示の入力を検出すると記録動作を終了する。
【００２５】
自動解析処理を実行する場合、制御部１２０（解析部１２０１）は、バッファに蓄積された記録期間分の心電図波形データについて自動解析処理を実行する。制御部１２０は、心電図波形データとその自動解析結果のデータ、被検者情報のデータを含んだ検査データを生成し、カードスロット１１６に装着されたメモリカードあるいは外部Ｉ／Ｆ１２３に接続された外部機器２００に記録する。
【００２６】
なお、検査データのフォーマットに制限はなく、複数のデータファイルから構成されても、１つのデータファイルで構成されてもよい。例えば被検者情報と心電図波形データとを含んだデータファイルと、自動解析結果のデータとが別のデータファイルとして生成される場合、同じ検査に係る複数のデータファイルを判別できるように記録する。例えば、それぞれのデータファイルを同じフォルダに記録したり、同じファイル名で拡張子を異ならせて記録したりすることができる。また、検査データが１つのデータファイルで構成される場合、心電図波形データとその自動解析結果のデータ、被検者情報のデータを含んだデータファイルを生成する。これらは単なる例示であり、他の方法で検査データを生成してもよい。
【００２７】
１２誘導自動計測モードの場合、制御部１２０は、自動解析処理が終了すると、バッファに蓄積されている心電図波形とその自動解析結果とを所定のフォーマットで表示部１１８および／またはプリンタ１１９に出力する。
【００２８】
（レビュー記録の説明）
本実施形態におけるレビュー記録動作を説明する前に、図２を用いてレビュー記録の記録区間について説明する。
レビュー記録の記録区間（開始時刻と終了時刻）は、レビュー記録時間（第１の時間）と、自動記録時間（第２の時間）とによって定まる。具体的には、
・レビュー記録の開始時刻：レビュー記録指示を検出した時点から、レビュー記録時間遡った時刻
・レビュー記録の終了時刻：レビュー記録開始時刻から自動記録時間後の時刻
である。なお、自動記録時間は、１２誘導自動計測モードにおける自動記録時間の設定値であるが、レビュー記録の実行は必ずしも１２誘導自動計測モードで動作している場合に限定されない。他の計測モードで動作している場合でもレビュー記録を実行することができる。
【００２９】
図２（ａ）は、レビュー記録時間が８秒、自動記録時間が１０秒の場合のレビュー記録区間を示している。この場合、過去の８秒分の計測データと、記録指示後の２秒分の計測データとがレビュー記録される。
図２（ｂ）は、レビュー記録時間、自動記録時間とも１０秒の場合のレビュー記録区間を示している。この場合、過去の１０秒分の計測データがレビュー記録され、記録指示後の計測データはレビュー記録されない。
図２（ｃ）および（ｄ）については、後で説明する。
【００３０】
（検査画面）
図３（ａ）は、心電計１００の記録スタンバイ時および記録時における画面（検査画面３００）の例を示す図である。ここでは、被検者に電極が装着され、記録指示（通常記録またはレビュー記録）の入力待ち状態（記録スタンバイ時）であるものとする。
【００３１】
検査画面３００は、見出し領域３０１と、心電図領域３０２と、ファンクションキー領域３０３とを有する。
見出し領域３０１には、被検者情報や検査の種類、フィルタ処理部１１３で適用するフィルタの種類などが表示されるほか、メニューボタン３０４が配置されている。なお、見出し領域３０１に表示される情報の数や種類は単なる例示である。なお、表示画面内の「ボタン」「キー」は、ソフトウェアキーであり、本実施形態では画面に表示されるボタンやキーの画像の領域への所定のタッチ操作（例えばタップ操作）を、そのボタンやキーの操作として制御部１２０が認識するように構成されているものとする。従って、以下の説明における「キー」や「ボタン」への「操作」は、「キー」や「ボタン」の画像領域への所定のタッチ操作を意味する。ただし、ソフトウェアキーの操作はタッチ操作によるものに限定されない。例えばハードウェアキーやボタンの操作を、対応付けられたソフトウェアキーの操作と認識するように構成してもよい。
【００３２】
心電図領域３０２には、計測中の誘導波形が所定のフォーマットでリアルタイムに表示される。表示される誘導波形の数や種類は設定されている計測モードに応じて異なる。図３（ａ）では、１２誘導自動計測モードでの表示例を示している。
【００３３】
ファンクションキー領域３０３には、ユーザが心電計１００に対して指示を与えるためのソフトウェアキーが配置される。ここでは、４つのファンクションキーＦ１〜Ｆ４と、ファンクションキー領域３０３に表示するファンクションキーの切り替えを指示するためのページ送りキー３０５が配置される。ファンクションキーは所謂ショートカットキーであり、ファンクションキーに割り当てられたメニュー項目をメニューの複数階層を辿ることなく直接呼び出すことができる。
【００３４】
ファンクションキー領域３０３に表示されるファンクションキーＦ１〜Ｆ４の機能は、ページ送りキー３０５が操作されるごとに、例えばページ数が増加する方向に切り替わる（最大ページの次は最初のページに戻る）。図３（ｂ）については後述する。
【００３５】
次に、図４を参照して、本実施形態におけるレビュー記録処理について説明する。
図４のフローチャートに示す処理は、制御部１２０がＲＯＭに記憶された制御プログラムを実行することによって実現される。
【００３６】
Ｓ４０１で制御部１２０は、例えば操作部１１７に含まれるレビュー記録ボタンの操作が検出されたか否かを判定し、検出されたと判定されればＳ４０３に処理を進め、検出されたと判定されなければＳ４０１の処理を繰り返す。
【００３７】
Ｓ４０３で制御部１２０は、ＲＯＭに記憶されているレビュー記録時間と自動記録時間の設定に従って、レビュー記録区間（記録開始時刻および記録終了時刻）を設定し、処理をＳ４０５に進める。
【００３８】
Ｓ４０５で制御部１２０は、操作回数カウンタの値を１増やして処理をＳ４０７に進める。操作回数カウンタは例えばＳ４０１からＳ４０３に移行する際に０に初期化される変数であってよい。制御部１２０は操作回数カウンタの値を、自身が有するＲＡＭの所定アドレスに記憶する。
【００３９】
Ｓ４０７で制御部１２０は、直近にレビュー記録ボタンの操作を検出してから所定時間経過したか否かを判定し、経過したと判定されればＳ４１１に、経過したと判定されなければＳ４０９に処理を進める。本実施形態では、直近のレビュー記録ボタンの操作からの経過時間が所定時間未満である複数のレビュー記録ボタンの操作を、一連の操作と見なす。
【００４０】
Ｓ４０９で制御部１２０はレビュー記録ボタンの操作が検出されたか否かを判定し、レビュー記録ボタンの操作が検出されたと判定されればＳ４０５に、検出されたと判定されなければＳ４０７に、処理を進める。
【００４１】
Ｓ４０５〜Ｓ４０９の処理により、一連の操作と見なされるレビュー記録ボタンの操作回数が操作回数カウンタの値として得られる。
【００４２】
Ｓ４１１で制御部１２０は、操作回数カウンタの値が２以上か否か（レビュー記録ボタンが２回以上操作されたか否か）を判定し、２以上と判定されればＳ４１３に、２以上と判定されなければＳ４１５に、処理を進める。
【００４３】
Ｓ４１３で制御部１２０は、操作回数カウンタの値（レビュー記録ボタンの操作回数）に応じて、レビュー記録区間を変更して、処理をＳ４１５に進める。具体的には、制御部１２０は、操作回数カウンタの値が大きいほど、レビュー記録時間を長くする。ただし、レビュー記録時間が予め定めた上限値（例えばバッファに蓄積できる最大期間）に達した場合には、レビュー記録時間を上限値とする。なお、レビュー記録ボタンの操作が複数回検出された場合（操作回数カウンタの値が２以上の場合）であっても、レビュー記録区間の記録開始時刻は、レビュー記録ボタンの操作の最初の検出を基準として決定される。
【００４４】
つまり、上限値を超えなければレビュー記録時間の設定値［秒］＋（操作回数カウンタの値−１）×増分［秒］を変更後のレビュー記録時間とする。また、レビュー記録時間の設定値［秒］＋（操作回数カウンタの値−１）×増分［秒］が上限値を超える場合には、変更後のレビュー記録時間を上限値に固定する。
【００４５】
なお、レビュー記録時間の設定値とは無関係に、
初期値［秒］＋（操作回数カウンタの値−１）×増分［秒］を変更後のレビュー記録時間としてもよい。この場合も、初期値［秒］＋（操作回数カウンタの値−１）×増分［秒］が上限値を超える場合には変更後のレビュー記録時間を上限値に固定する。
【００４６】
なお、レビュー記録時間が変更される場合、例えば図３（ｂ）に示すように、変更後のレビュー記録時間をユーザに知らせるメッセージを提示してもよい。また、確定後の変更後のレビュー記録時間を知らせるだけでなく、Ｓ４０３で操作回数カウンタの値を増やした際に、現在のカウンタ値に対応する変更後のレビュー記録時間を知らせてもよい。
【００４７】
Ｓ４１５で制御部１２０は、レビュー記録時間が自動記録時間より長いか否かを判定し、長いと判定されればＳ４１７に、長いと判定されなければＳ４１９に、処理を進める。
【００４８】
Ｓ４１７で制御部１２０は自動記録時間を延長する。具体的には、制御部１２０は、自動記録時間をレビュー記録時間以上となるようにする。ここで、Ｓ４１７の処理の意味について図２（ｃ）、（ｄ）を用いて説明する。
【００４９】
上述したように、レビュー記録区間は、レビュー記録時間と自動記録時間とによって定まる。そして、レビュー記録時間が自動記録時間より長い場合、レビュー記録指示の検出時の直前の計測データについて、レビュー記録されない区間が生じる。
【００５０】
図２（ｃ）は、レビュー記録時間が１２秒、自動記録時間が１０秒の場合のレビュー記録区間を示している。この場合、レビュー記録指示の検出時から１２秒遡った時刻以降の１０秒分がレビュー記録区間となる。したがって、レビュー記録指示の検出直前の２秒間の計測データはレビュー記録から漏れることになる。
【００５１】
そのため、本実施形態では、レビュー記録時間が自動記録時間より長い場合には自動記録時間をレビュー記録時間以上になるように延長することで、レビュー記録指示の検出直前の区間がレビュー記録から漏れることを防止する。図２（ｄ）は、図２（ｃ）と同様にレビュー記録時間が１２秒、自動記録時間が１０秒の場合に、自動記録時間を１２秒に延長した際のレビュー記録区間を示している。
【００５２】
図４に戻り、Ｓ４１９で制御部１２０は、レビュー記録区間の計測データを格納した心電図データファイルを生成し、メモリカードまたは外部機器２００に記録する。
【００５３】
（変形例１）
本実施形態では、レビュー記録時間が自動記録時間より長い場合、自動記録時間をレビュー記録時間以上となるように延長した。レビュー記録時間が自動記録時間より長くなるのは、Ｓ４１３におけるレビュー記録区間の変更による場合だけでなく、もともとそのような値が設定されている場合もある。
【００５４】
このような場合、通常のレビュー記録操作（レビュー記録ボタンの操作回数が１回）の場合において、図２（ｃ）に示したようなレビュー記録されない区間が発生する。そのため、自動記録時間より長いレビュー記録時間の設定自体を禁止するように構成することができる。
【００５５】
図５（ａ）は自動記録時間とレビュー記録時間の設定画面例を示している。ここでは、各記録時間に設定する値を直接テキストボックスに入力する画面であるが、値の設定には他の任意の形式のユーザインタフェースを用いることができる。
【００５６】
図５（ａ）でＯＫボタンが操作された際、制御部１２０は自動記録時間とレビュー記録時間の設定値を確認し、レビュー記録時間に自動記録時間より長い値が設定されている場合には図５（ｂ）に示すようなエラー画面を表示部１１８に表示することができる。これにより、レビュー記録時間に自動記録時間より長い値が設定されることを防止できる。
【００５７】
なお、ユーザが意図的にレビュー記録時間に自動記録時間より長い値を設定したい場合を想定し、レビュー記録時間に自動記録時間より長い値を設定することを禁止する代わりに、図５（ｃ）に示すような警告（確認）画面を表示部１１８に表示してもよい。制御部１２０は、確認ボタンが操作されればユーザが意図的にレビュー記録時間に自動記録時間より長い値を設定しているとして、設定値をそのままとする。一方、再設定ボタンが操作された場合、制御部１２０は図５（ａ）の設定画面を再度表示する。
【００５８】
（変形例２）
上述の実施形態では一連の操作と見なされるレビュー記録指示の回数によってレビュー記録区間（レビュー記録時間）を変更する構成であった。しかし、レビュー記録指示の長さ（例えば記録指示の入力の継続検出時間）によってレビュー記録区間（レビュー記録時間）を変更するようにしてもよい。
【００５９】
この場合、図４のフローチャートに示した処理の一部を図６に示すように変更すればよい。すなわち、レビュー記録ボタンの操作が検出された場合、制御部１２０はＳ６０１で検出継続カウンタの値を１増やす。検出継続カウンタはレビュー記録ボタンの操作が連続して検出される時間を計測するための１手段であり、タイマやフリーランカウンタなど他の構成を用いてもよい。
【００６０】
Ｓ６０３で制御部１２０は、レビュー記録ボタンの操作が検出されなくなったか否かを判定し、検出されなくなったと判定されればＳ６０５へ処理を進め、検出されなくなったと判定されなければＳ６０１へ処理を戻す。
【００６１】
Ｓ６０５で制御部１２０は継続操作カウンタの値が予め定められた閾値以上か否かを判定し、閾値以上と判定されればＳ６０７へ、閾値以上と判定されなければＳ４１５へ、処理を進める。ここで、制御部１２０は、継続操作カウンタの値（すなわち、記録指示の長さ）が閾値未満であれば、レビュー記録ボタンの操作が通常の（設定値に基づく）レビュー記録指示の実行指示と見なす。
【００６２】
Ｓ６０７で制御部１２０は、継続操作カウンタの値（レビュー記録指示の長さ）に応じて、レビュー記録区間を変更して、処理をＳ４１５に進める。具体的には、制御部１２０は、継続操作カウンタの値が大きいほど、レビュー記録時間を長くする。ただし、レビュー記録時間が予め定めた上限値（例えばバッファに蓄積できる最大期間）に達した場合には、レビュー記録時間を上限値とする。
【００６３】
つまり、上限値を超えなければレビュー記録時間の設定値［秒］＋（継続操作カウンタの値−閾値）／単位時間に相当するカウンタ値×増分［秒］を変更後のレビュー記録時間とする。このように、制御部１２０は、記録指示の長さが単位時間に達するごとに一定時間（増分）ずつレビュー記録時間を延長することができる。なお、この場合も、算出した値が上限値を超える場合には、変更後のレビュー記録時間を上限値に固定する。
【００６４】
なお、レビュー記録時間の設定値とは無関係に、
初期値［秒］＋（継続操作カウンタの値−閾値）／単位時間に相当するカウンタ値×増分［秒］を変更後のレビュー記録時間としてもよい。この場合も、算出した値が上限値を超える場合には変更後のレビュー記録時間を上限値に固定する。
【００６５】
以上説明したように、本実施形態では、レビュー記録指示の回数や長さに応じてレビュー記録時間を変更するようにしたので、設定画面を呼び出して設定時間を変更するよりも容易である。また、本実施形態によるレビュー記録時間の変更は記憶されている設定値には影響を与えないので、設定値を元に戻す必要もない。さらに、従来と同様の操作に対しては設定値に従ったレビュー記録が実行されるので、ユーザを混乱させることもない。
【００６６】
またレビュー記録時間が自動記録時間より長い値である場合には自動記録時間をレビュー記録時間以上となるように変更することにより、レビュー記録指示の直前の区間でレビュー記録されない区間が生じることを抑制できる。そのため、意図せずレビュー記録されないという事態を抑制できる。また、自動記録時間より長いレビュー記録時間の設定を禁止あるいは警告することで、レビュー記録指示の直前の区間でレビュー記録されない区間が発生する設定を回避したり、意図的な設定を許容したりすることができる。
【００６７】
なお、本発明に係る生体情報処理装置は、パーソナルコンピュータ、タブレット端末、スマートフォンのような汎用情報処理装置に、上述した動作を実行させるプログラム（アプリケーションソフトウェア）として実現することもできる。従って、このようなプログラムおよび、プログラムを格納した記録媒体（ＣＤ−ＲＯＭ、ＤＶＤ−ＲＯＭ等の光学記録媒体や、磁気ディスクのような磁気記録媒体、半導体メモリカードなど）もまた本発明を構成する。
【符号の説明】
【００６８】
１００…心電計、１１８…表示部、１２０…制御部、１２３…外部Ｉ／Ｆ、１２０１…解析部
【図１】
2018171240.tif 000003
【図２】
2018171240.tif 000004
【図３】
2018171240.tif 000005
【図４】
2018171240.tif 000006
【図５】
2018171240.tif 000007
【図６】
2018171240.tif 000008